(57)【要約】  本発明は、固定回転軸（Ｒ）付き後輪を具備する後方部分と少なくとも１つの枢動前方輪を具備する前方部分を伴うシャーシ（１０）と、シャーシと一体化した動力式切断ユニットと、およびハンドル（４０）と、を含む刈込機に関する。本発明によると、ハンドルは、少なくとも１つの作業位置と、ハンドルがシャーシの前方部分の方向に折畳まれるメンテナンス位置との間で、後輪の回転軸に平行な連接軸（Ｇ）に沿った連接部を伴って、シャーシの後方部分の少なくとも１つの剛性後方延長部分（４０）の上に組付けられており、シャーシの前方部分には、メンテナンス位置にハンドル（４０）をロックするためのロック（５０）が具備されている。【選択図】図１
2017528165.tif 000002
【特許請求の範囲】
【請求項１】
ホイール付き刈込機であって、
−  固定回転軸（Ｒ）付き後輪（１４）を具備する後方部分と少なくとも１つの枢動ホイール（１６）を具備する前方部分を伴うシャーシ（１０）と、
−  シャーシと一体化した動力式切断ユニット（２２、２４、２６、２８）と、および
−  ハンドル（４０）と、
を含み、ハンドルが、作業位置と呼ばれる少なくとも１つの位置と、ハンドルがシャーシの前方部分の方向に折畳まれるメンテナンス位置と呼ばれる位置との間で、後輪の回転軸（Ｒ）に平行な連接軸（Ｇ）に沿った連接部を伴って、シャーシの後方部分の少なくとも１つの剛性後方延長部分（３０）の上に組付けられており、
シャーシの前方部分が、前記メンテナンス位置にハンドルをロックするためのロック（５０）を含むことを特徴とする、ホイール付き刈込機。
【請求項２】
シャーシ（１０）が管状要素付きシャーシである、請求項１に記載の刈込機。
【請求項３】
シャーシ（１０）が、横長断面をもつ管状シャーシ要素を含む、請求項１または２に記載の刈込機。
【請求項４】
管状シャーシ要素が溶接により組立てられており、溶接無しでシャーシに固定されたシャーシへの後付け要素を含む、請求項２または３に記載の刈込機。
【請求項５】
連接軸（Ｇ）が、シャーシの平面（Ｐ）に対しほぼ直交する基準平面（Ｖ）内に位置しており、基準平面（Ｖ）が、基準平面（Ｖ）に平行で後輪（１４）の回転軸（Ｒ）を含む第１の平面（Ｖ１）と、基準平面（Ｖ）に平行で刈込機の全後端部を通る第２の平面（Ｖ２）との間に位置している、請求項１から４のいずれか１つに記載の刈込機。
【請求項６】
シャーシの後方延長部分（３０）にハンドル（４０）を連結する少なくとも１つのヒンジ（３４ａ、３４ｂ）をハンドルの枢動軸に沿って含み、ヒンジには、高位の作業位置にハンドルをロックするためのロック（３６ａ、３６ｂ）が具備されている、請求項１から５のいずれか１つに記載の刈込機。
【請求項７】
ハンドルまたは後方延長部分と一体化した少なくとも１つの支持機構（３４ａ、３４ｂ、４２ａ、４２ｂ）を含み、支持機構は、刈込機がその後輪を中心にして後方に枢動された場合または転倒した場合に、地面に接触するように適合されている、請求項１から６のいずれか１つに記載の刈込機。
【請求項８】
メンテナンス位置にあるハンドルの端部（４４）と剛性後方延長部分（３０）が、シャーシとの関係において測定された切断ユニットの高さよりも高い平均高さを有し、こうしてハンドルは、メンテナンス位置において切断ユニットの頂部分（２７）の上方に維持されるようになっている、請求項１から７のいずれか１つに記載の刈込機。
【請求項９】
ハンドル（４０）が、剛性後方延長部分（３０）上で連接されスペーサ区分（４４、４７）により互いに連結された２つのアーム（４２ａ、４２ｂ）を有する、請求項１から８のいずれか１つに記載の刈込機。
【請求項１０】
動力式切断ユニットがモータ（２６）、高さ調節可能な切断ハウジング（２２）、およびモータに回転駆動される少なくとも１つの切断ブレード（２４）を含む、請求項１から９のいずれか１つに記載の刈込機。
【請求項１１】
モータ（２６）が電気モータであり、刈込機がさらに、モータの給電用の少なくとも１つのアキュムレータバッテリー（２８）を含む、請求項９に記載の刈込機。
【請求項１２】
各後輪（１４）に電気駆動モータ（１５）が具備されている、請求項１から１１のいずれか１つに記載の自動牽引刈込機。
【発明の詳細な説明】
【技術分野】
【０００１】
本発明は、芝刈り機または刈込・刈払機などの、歩行作業者用のホイール付き農地用刈込機に関する。歩行作業者用のホイール付き刈込機とは、ユーザーが担持するようにもユーザーを担持するようにもなっていない押圧型または自動牽引型の刈込機のことである。刈込機のユーザーは、刈込または刈払いに際して刈込機の後方を歩行する。本発明は特に、緑地の整備または刈払いのためのプロ仕様の刈込の分野で利用される。本発明は同様に、芝生の整備のために特定のユーザーの下で利用される。
【背景技術】
【０００２】
歩行作業者用の刈込機は概して、ホイールまたはキャスターにより地表面から既定の距離のところに維持された切断ユニットを有する。ホイールは概して、切断ハウジングに固定され、切断ハウジングと地面との間の距離を固定するような形で高さ調節が可能である。この距離は同様に、草本または木本植物の切断高さをも決定する。
【０００３】
刈込機には同様に、ハンドルが具備されており、ユーザーはこれを把持して刈込機を押しかつ／または誘導する。
【０００４】
ハンドルには概して、制御装置が具備されている。これは例えば、熱式モータの場合にはモータの吸気開放制御装置、刈込機の前進速度制御装置、切断ブレードの停止制御装置、ブレードのブレーキ制御装置またはギアチェンジ制御装置である。
【０００５】
歩行作業者用の刈込機は、いくつかの利点、特に使用上の融通性の高さを有する。これらの刈込機は特に、相対的なコンパクト性という利点を有し、これは都市の緑地または小規模表面の整備に有利である。
【０００６】
反対にハンドルは、このコンパクト性に対する主たる制限となっている。確かに折畳み式ハンドル付きのモデルも存在するが、ハンドルの外形寸法は、刈込機を収納する場合または作業場所へのその運搬の際に、依然として障害となっている。折畳まれた位置で、ハンドルは概して、刈込機のシャーシの床部外形寸法からはみ出す。車両のトランク内またはトラック内の刈込機が運搬される場合、車両またはトラックの走行中に内部を移動し、このため、刈込機の床部外形寸法からはみ出すハンドル部分にくり返し衝撃が加わることになる。
【０００７】
歩行作業者用の刈込機に見られるもう１つの問題点は、メンテナンスまたは清掃作業のための、切断機構特にハウジングおよび切断ブレードへのアクセス性に関連するものである。
【０００８】
植物、特に湿った草本植物の切断のために刈込機を使用する場合、切断機構の詰まりが引き起こされる可能性がある。ところで、このような詰まりには清掃作業が求められる。その上、刈込の際にブレードと小石などの障害物が遭遇すると、研磨されたブレードの刃先が鈍化される。こうして特に、集中的に使用されるプロ仕様の農地用刈込機については、切断機構の定期的なメンテナンス作業および研磨作業が不可欠である。
【０００９】
従来技術の例示が、欧州特許第２５８９２８４号明細書、仏国特許発明第２５８９６６８号明細書および米国特許第４０４１６７９号明細書により提供されている。欧州特許第２５８９２８４号明細書は特に、垂直位置と呼ばれる位置に復帰可能な折畳み式ハンドルを伴う刈込機を示す。
【先行技術文献】
【特許文献】
【００１０】
【特許文献１】欧州特許第２５８９２８４号明細書
【特許文献２】仏国特許発明第２５８９６６８号明細書
【特許文献３】米国特許第４０４１６７９号明細書
【発明の概要】
【発明が解決しようとする課題】
【００１１】
本発明の目的は、収納および運搬のために特にコンパクトにすることのできる、単純かつ頑丈な構造を有する、歩行作業者用のホイール付き刈込機を提供することにある。
【００１２】
本発明は同様に、清掃、運搬またはメンテナンスの際の衝撃に対し感応性が特に低いこのような刈込機を提案することも目的としている。
【００１３】
本発明の目的は、さらに、切断機構に対する容易かつ安全なアクセスを可能にするこのような刈込機を提案することにある。
【課題を解決するための手段】
【００１４】
これらの目的を達成するため、本発明は、固定回転軸付きホイールを具備する後方部分と少なくとも１つの枢動ホイールを具備する前方部分を伴うシャーシと、シャーシと一体化した切断ユニットと、およびハンドルとを含む刈込機を提供する。
【００１５】
本発明によると、ハンドルは、高位の少なくとも１つの作業位置と、ハンドルがシャーシの前方部分の方向に折畳まれる低位のメンテナンス位置との間で、後輪の回転軸に平行な軸に沿った連接部を伴って、シャーシの後方部分の少なくとも剛性延長部分の上に組付けられており、シャーシの前方部分には、メンテナンス位置にハンドルをロックするための少なくとも１つのロックが具備されている。
【００１６】
メンテナンス位置と呼ばれるハンドルの位置は、実際、刈込機の清掃および整備に有利なものである。この同じ位置は同様に、刈込機をもち上げ、手動で移動させ、収納し、運搬するためにも保持され得る。詳細には、メンテナンス位置は、商用車内での刈込機の運搬のために保持され得る。この場合、シャーシおよびメンテナンス位置にあるハンドルは、衝撃に対する効果的な保護を構成する。
【００１７】
ロックは、ハンドルを保持するように適合されたあらゆるタイプのロックであり得る。これは、手動ピン式ロックまたは自動係合式ロックであり得る。ロックは、詳細には、バネにより荷重されハンドルの適応された部分と嵌合するようになる維持用フックを含むことができる。好ましくは、そして安全上の観点から、ロックの解放は手動で行なわれる。
【００１８】
ハンドル、シャーシおよびその後方延長部分は好ましくは、鋼製またはアルミニウム製の管状構造である。これらは特に、シャーシの剛性、およびシャーシ上に固定される刈込機の異なる機構の維持に有利に作用するため横長断面の管で製造され得る。その上、シャーシを形成する管の組立は、好ましくは溶接無しの組立である。切断ユニットおよび後方延長部分などの、シャーシに後付けされる異なる要素についても同様のことが言える。シャーシの異なる部分および後付けの要素は、特に嵌め込み、スリーブまたはネジ式フランジによって維持され得る。こうして特に、刈込機の個別の各部品のメンテナンスおよび容易な交換が可能になる。
【００１９】
シャーシは、前輪および後輪が地面と接触状態にある場合、地表面に対して平行な平面に沿って本質的には延在する。シャーシの側方縦通材上に好ましくは組付けられる剛性延長部分は、シャーシの平面の外で、上に向かって、すなわちホイールとは反対に延在する。延長部分は、例えば保管のために刈込機がメンテナンス位置でそこに支持される場合に、ハンドルを固定して刈込機を安定化するのに役立つ。剛性後方延長部分は、好ましくは、シャーシの長さの３分の１ないし３分の２の間の高さ、そしてさらに好ましくはシャーシの長さの３分の１ないし半分の間の長さを有する。
【００２０】
剛性延長部分は例えば、シャーシの側方縦通材上に固定された弓形部分の形状を呈する。
【００２１】
本発明の特定の一態様によると、ハンドルの連接軸は、シャーシにほぼ直交し後輪の回転軸と刈込機の後方端部との間を通る平面内に位置することができる。
【００２２】
この特徴は、ハンドルが、その外形寸法を最小化する形でシャーシと並んだ状態で刈込機の上方に折畳まれ得るという利点を呈する。
【００２３】
刈込機は、ハンドルの連接軸に沿って、ハンドルを後方延長部分に連結する少なくとも１つのヒンジを含むことができ、ヒンジは、高位の作業位置でハンドルをロックするためのロックを具備する。好ましくは、弓形部分の形をした後方延長部分の両側でハンドルを連接するため、ハンドルの２本のアーム上での２つのヒンジがそれぞれ想定される。
【００２４】
作業位置において、ハンドルは、刈込機のシャーシの上方かつ後方に向かって斜めに延在する。メンテナンス位置とは対称的に、「高位」位置と呼ばれる複数の作業位置が、ユーザーの身長に適合するために想定され得る。このためにヒンジは、異なる高位位置用に割出しされた刻み目を具備してもよく、あるいはユーザーが選択した高位位置にハンドルをロックするため締結装置を備えてもよい。
【００２５】
刈込機の特定の一実施形態によると、刈込機は、ハンドルまたは後方延長部分と一体化した１つ以上の支持機構を含むことができ、支持機構は、刈込機がその後輪を中心にして後方に枢動された場合、地面と接触することになるよう適合される。
【００２６】
こうして、刈込機は、地表面との関係において少なくとも２つの位置を取ることができる。第１の位置は刈込位置に対応し、この位置では、刈込機はその後輪および前輪上に支持され、シャーシは地面に対しほぼ平行に延在している。換言すると、これは、刈込機が地面上または水平支持体上に置かれさえすれば、刈込機のシャーシがほぼ水平となる位置である。
【００２７】
刈込機の第２の安定位置は、ハンドルがメンテナンス位置にある場合、すなわちシャーシの前方に向かって折畳まれている場合に取られ得る。このとき、後輪および支持機構上で支持がなされる。刈込機は、その後輪を中心にして後方に向かって刈込機を枢動させることによって、この位置に置かれ得る。刈込機はこのために、メンテナンス位置にあるハンドルによって把持され得る。実際、折畳まれた位置で、ハンドルは、シャーシの前方部分上にロックされ、こうして、シャーシと共に、特に剛性が高くかつ容易に刈込機を操作できる構造を構成する。刈込機をこの位置に置くためには、場合によって刈込機に装備されている刈取られた植物の収集槽をそこから取外すのが適切である。
【００２８】
刈込機のシャーシはこのとき、地面にほぼ直交するかまたはわずかに傾斜した位置にあり、こうして刈込機の重心の場所がその位置の安定性に寄与することになる。
【００２９】
支持機構は例えば、ハンドルのアームの端部で構成され得る。同様に、剛性後方延長部分を形成する弓形部分の水平棒によっても形成され得る。
【００３０】
支持機構上に支持された位置において、切断ユニット詳細にはブレードおよび切断ユニットのハウジングに対するアクセスは、大幅に容易になる。したがってこの位置は、清掃またはメンテナンス作業に有用である。
【００３１】
本発明の刈込機の好ましい一実施形態によると、メンテナンス位置にあるハンドルの端部と剛性後方延長部分は、シャーシとの関係において測定された切断ユニットの高さより高い平均高さを有することができ、こうしてハンドルは、メンテナンス位置において切断ユニットの頂部分の上方に維持されるようになっている。
【００３２】
高さなる用語は、刈込機がそのホイールに支持されて地面上に置かれた場合のシャーシとの関係におけるものである。
【００３３】
こうして、メンテナンス位置において、ハンドル、詳細にはハンドルのアームは、切断ユニットの頂部分の、すなわち切断ブレードの部分とは反対側の部分の保護用補強材を構成する。
【００３４】
さらに、刈込機が逆転されメンテナンス位置にあるハンドルに完全に支持される第３の位置を刈込機に取らせることも企図可能である。ハウジングおよび切断ブレードはホイールと同様、このとき上方に向けられ、特にメンテナンス作業のためにアクセス可能である。この場合、メンテナンス位置におけるハンドルの位置を超えるハンドルの位置を考慮すると、切断ユニットは、地面が平坦であるかぎり、地面から隔離された状態にとどまり、地面に支持されることはない。
【００３５】
ハンドルの特に単純で安定した一実施形態によると、ハンドルは、剛性後方延長部分上に連接されスペーサ区分により互いに連結された２つのアームを有することができる。スペーサ区分には、ユーザーによるその操作のためのグリップが具備されることもできる。ハンドルは、異なる形態を取ることができ、例えばシャーシの後方延長部分上に連接された唯一の中央垂直材のみを含むことができるということを指摘しておくことが適切である。ハンドルの自由端部、または自由端部を形成するスペーサ区分は、ハンドルがメンテナンス位置に折畳まれたときにシャーシの前方に位置するロックと協働するように構成され得る。
【００３６】
刈込機の動力式切断ユニットは、モータ、切断ハウジング、およびハウジング内に収納されモータにより回転駆動され得る１つ以上の切断ブレードを含むことができる。ハウジングは、好ましくは、刈込高さを調整するため高さ調節が可能な状態で、シャーシ上に組付けられる。詳細には、ブレードを格納する切断ハウジングは、高さの調節のため平行四辺形型固定によりシャーシに懸架され得る。モータは、シャーシ上で固定位置にあるか、または好ましくは、切断ハウジングと一体化され得る。
【００３７】
刈込機は、押圧型または自動牽引型であり得る。自動牽引型である場合、刈込機はさらに、切断ユニットのモータを後輪に結合する動力変速機アセンブリを含むことができる。
【００３８】
代替的には、詳細には電気刈込機の場合に、各後輪は同様に、独自の電気駆動モータおよび動力変速機アセンブリを具備することもできる。
【００３９】
切断ユニットのモータは同様に、電気モータであり得る。その給電は、局所配線に接続された電気ケーブルを介して行なわれ得る。しかしながら、好ましくは、刈込機は、そのエネルギー供給のため少なくとも１つのアキュムレータバッテリーを含むことができる。バッテリーは、切断ハウジングと一体化され得るかあるいは、好ましくはシャーシ上に直接固定され得る。
【００４０】
詳細にはバッテリーは、切断ユニットのモータに、および場合によっては刈込機の走行のために使用される１つ以上のモータに給電するのに役立つことができる。
【００４１】
本発明の他の特徴および利点は、以下の図の説明から明らかになる。この説明は、限定的なものではなく例示を目的として提供されるものである。
【図面の簡単な説明】
【００４２】
【図１】ハンドルが作業位置にある状態の本発明に係る刈込機、およびこの刈込機のユーザーの斜視図である。
【図２】切断ユニットの構成要素が表現されていない、図１の刈込機の要素を示す斜視分解組立図である。
【図３】ハンドルがメンテナンス位置にある状態の、図１の刈込機の斜視図である。
【図４】ホイールに支持された状態の図３の刈込機の側面図である。
【図５】枢動位置における図３の刈込機の側面図である。
【図６】メンテナンス位置におけるハンドルのロックを例示する、図１、３、４および５の刈込機のより大きな縮尺での詳細の部分図である。
【発明を実施するための形態】
【００４３】
図面の図を参考にした以下の説明においては、同一のまたは類似の部分は、複数の図間で相互参照できるように、同じ参照番号が付されている。
【００４４】
図１は、本発明に係る刈込機を示す。
【００４５】
刈込機は、横長断面の管型のシャーシ１０を含む。横長断面の管とは、卵形または楕円形に類似するか、あるいは丸みを帯びた形状をもつこの断面の１つ以上の辺を伴う平行六面体に内接する断面に類似する断面を有する管を意味する。シャーシ１０は、２つの管状側方縦通材１２ａ、１２ｂを含み、１つの平面にほぼ沿って延在する。
【００４６】
シャーシの後方部分は、２つの後輪１４を担持し、これらの後輪は例示された実施例においては、変速機上に組付けた駆動モータ１５を各々具備する駆動輪である。シャーシの前方には、刈込機の使用位置においてほぼ垂直な軸を中心にして３６０°枢動できる２つの遊び車１６が取付けられている。前輪の枢動軸は、それらの回転軸にほぼ直交している。ここでは、前輪１６は、２重輪である。前および後なる用語は、刈込機の正規前進方向、および刈込の際に刈込機の後方にいる刈込機の運転者の位置を基準としたものである。
【００４７】
シャーシ１０上には、切断ハウジングの下に位置することから図に表現されていない切断ブレードを収納する切断ハウジング２２、および電気モータ２６を具備する切断ユニット２０が固定されている。モータ２６は、切断ハウジング上に直接組付けられる。切断ユニット２０は同様に、シャーシ上に直接組付けられたモータの給電用のバッテリー２８も含んでいる。バッテリーは同様に、一変形形態によると、切断ハウジングと一体化され得る。例示された実施例では、切断ハウジング２２は、高さ調節できる状態でシャーシ上に組付けられている。詳細には、切断ハウジングは、平行四辺形の懸架リンクロッドによってシャーシに懸架されている。この平行四辺形の懸架の一部分は、後で説明される図４上に参照番号２３で標示されている。
【００４８】
代替的には、ホイールの高さに作用することによる刈込機の切断高さの調節を想定することもでき、このとき切断ハウジングはシャーシ上に固定状態で組付けられる。
【００４９】
シャーシ１０の後方には、上に向かって、すなわち刈込機が刈込位置にある場合のホイールの支持表面とは反対側に突出する固定した剛性延長部分３０が見られる。例示された実施例において、後方延長部分は、シャーシの縦通材１２ａと１２ｂとの間でブリッジを形成する管状弓形部分３１を含む。弓形部分は、各々の側でシャーシの縦通材１２ａおよび１２ｂ上にそれぞれ固定され、同様に縦通材１２ａ、１２ｂに支持される支柱３２ａ、３２ｂによって維持される。好ましくは管状である支柱は、弓形部分３１の位置を堅固に維持する。延長部分の自由部分、すなわち弓形部分の上部部分には、各々の側面側でヒンジ３４ａ、３４ｂが具備され、ヒンジ上にハンドル４０が連接するようになる。ハンドルは、それぞれヒンジ３４ａ、３４ｂに固定されたアーム４２ａ、４２ｂを含む。ヒンジ３４ａ、３４ｂは、ホイールの回転軸Ｒに平行で、かつシャーシ１０の側方縦通材１２ａ、１２ｂに直交する連接軸Ｇに沿って、ハンドル４０を枢動させることができ、こうして、ハンドルを刈込機の上方で前へ折畳むことが可能になる。
【００５０】
ハンドルは、アーム４２ａ、４２ｂにほぼ直交し弓形部分３１の頂部分に平行なスペーサ区分４４を有する。
【００５１】
スペーサ区分４４には、維持用グリップ４５および刈込機の制御ユニット４６が具備されている。例示された実施例中では、第２の補強用スペーサ４７が想定されている。制御ユニットは、例えば刈込機の前進速度を制御するようにモータに電気的に接続されている。
【００５２】
ハンドルの作業位置の高さは、ハンドルのアームと固定された後方延長部分との間の角度すなわちヒンジ３４ａ、３４ｂの開口を変動させることにより調整可能である。ユーザーに適合させた所望の作業位置を維持するために、ヒンジには、ハンドルの高位位置を固定するための締結用カム３６ａ、３６ｂが具備されている。
【００５３】
図１に例示されている刈込機の実施例には、刈取られた植物を回収するための収集槽４９が見られる。これは、以下で説明する図５により例示されているように、後方に枢動された位置に刈込機が置かれた場合に特に取り出すことのできる取外し可能な収集槽である。取外し可能な収集槽は、後続する図中には表現されていない。
【００５４】
本発明に係る刈込機は、刈込回収用の取外し可能な収集槽を具備しても具備しなくてもよいということを明記しておくのが適切である。詳細には、刈込機は、マルチング用として槽無しで構成することも可能である。
【００５５】
図２は、図１の刈込機の要素を示す。この図は詳細には、シャーシを形成する管状要素、後方延長部分、およびシャーシ上に後付けされるいくつかの要素、例えばハンドル、ホイールまたは切断ユニットの固定具を示す。切断ユニット自体は表現されていない。シャーシの要素の組立および後付け要素の固定は、スリーブおよびネジ式フランジを用いて行なわれる。これは、溶接無しの組立である。
【００５６】
図３は、ハンドル４０がメンテナンス位置にある状態の図１の刈込機を示す。締結用カム３６ａ、３６ｂは解放され、ハンドル４０は、連接軸Ｇを中心として刈込機の上方で前向きに枢動される。ハンドルの長さ、すなわち例示された実施例において本質的にはそのアーム４２ａ、４２ｂの長さは、シャーシの長さにほぼ等しい。こうして、折畳まれたメンテナンス位置において、ハンドルの自由端部を構成するスペーサ区分４４は、ハンドルのロック５０が位置するシャーシの前部と合流するようになる。好ましくは、ハンドルの長さは、スペーサ区分４４がシャーシの前端部から引込んだ状態にとどまり、例えば刈込機がその運搬に際してトラックの荷台上に置かれているときなどに刈込機が偶発的に動いた際に衝撃から保護されるようになっている。
【００５７】
例示された実施例において、図６に最も良く示されている通り、ロック５０は、軸５５を中心として枢動しハンドル４０の一部分の上に嵌合することになるねじりバネ５３によって荷重されるフック５２を含む。より厳密には、図６がさらに示す通り、フックは補強用スペーサ４７上に嵌合することになる。ロック５０は、シャーシ１０上にネジ止めされたフランジ５４により固定される。フック５２が補強用スペーサ４７上に嵌合している場合、機械的ロックが作用して、ハンドルとシャーシとの間のリンクを確保する。このとき、締結用カム３６ａおよび３６ｂをロックする必要なく、ハンドルにより直接刈込機を操作することが可能となる。例示された実施例では、ハンドルのロック解除には、ハンドルを解放するために、手動でフック５２を刈込機の前方に向けることが必要となる。このときハンドルはその作業位置に向かって枢動され得る。
【００５８】
図４は、前輪および後輪１４、１６を伴う、水平な地面Ｓ上に置かれた図３の刈込機の側面図である。
【００５９】
シャーシ１０の固定された後方延長部分３０の上端部を中心としたハンドル４０のヒンジ３６ａ、３６ｂの連接軸Ｇは、シャーシおよび特に縦通材が沿って延在している平面Ｐの上方に位置していることが分かる。より厳密には、連接軸Ｇは、シャーシの平面Ｐに直交する基準垂直平面と呼ばれる垂直平面Ｖ内に位置し、好ましくはこの基準垂直平面は、基準平面Ｖに平行で後輪の回転軸Ｒを含む第１の平面Ｖ１と、基準平面Ｖに平行で刈込機の全後端部を通る第２の平面Ｖ２との間に位置づけされている。例示されている実施例において、刈込機の全後端部は、後輪１４のタイヤトレッドにより形成されている。
【００６０】
シャーシの平面Ｐとの関係における、ハンドルが連接する中心となっている連接軸Ｇの高さとみなされる後方延長部分３０の高さ、およびハンドルの端部を収容するロック５０の高さは、それらの中央（ｍｏｙｅｎｎｅ）が切断ユニットの頂部分２７の高さよりも高く、そのためハンドルはメンテナンス位置において切断ユニットの頂部分の上方に維持されることになるようなものであることが分かる。例示された実施例において、頂部分２７は、給電用バッテリー２８に対応している。
【００６１】
こうして、ハンドル４０そして詳細にはそのアーム４２ａおよび４２ｂは、メンテナンス位置において、切断ユニットの頂部分２７、詳細にはバッテリー２８を保護する。
【００６２】
図５は、後輪１４を中心として矢印Ｆの方向に後方に向かって枢動された図３の刈込機を示している。この位置において刈込機は、後輪１４によって、および図の実施例においてはヒンジの延長部分により形成されている支持機構によって支持されている。考えられる別の実施形態によると、支持機構は同様に、ハンドルのアームの端部によって、または剛性後方延長部分３０を形成する弓形部分３１の頂部によって形成され得る。場合によっては、特定の支持パッドを具備することができる。
【００６３】
メンテナンス位置にロックされたハンドルは、シャーシと共に、刈込機の安定性およびその機構の保護を確保する特に剛性の高い構造を形成する。その上、図４  ５により例示されている刈込機の位置は、切断ハウジング２２およびそこに収納される切断ブレードに対するアクセスを容易にする。
【００６４】
この位置において、締結用カム３６ａ、３６ｂを用いたヒンジの固定は不可欠でなく、ハンドルはロック５０によって維持されている、という点を指摘しておくことが適切である。
【符号の説明】
【００６５】
１０    シャーシ
１２ａ  縦通材
１２ｂ  縦通材
１４    後輪
１５    駆動モータ
１６    遊び車
２０    切断ユニット
２２    切断ハウジング
２６    電気モータ
２８    バッテリー
３０    剛性延長部分
３１    弓形部分
３２ａ  支柱
３２ｂ  支柱
３４ａ  ヒンジ
３４ｂ  ヒンジ
３６ａ  締結用カム
３６ｂ  締結用カム
４０    ハンドル
４２ａ  アーム
４２ｂ  アーム
４４    スペーサ区分
４５    維持用グリップ
４６    制御ユニット
４７    スペーサ
４９    収集槽
５０    ロック
５２    フック
５３    ねじりバネ
５４    フランジ
５５    軸
Ｒ    ホイールの回転軸
Ｇ    連接軸
【図１】
2017528165.tif 000003
【図２】
2017528165.tif 000004
【図３】
2017528165.tif 000005
【図４】
2017528165.tif 000006
【図５】
2017528165.tif 000007
【図６】
2017528165.tif 000008
【国際調査報告】
2017528165.tif 000009
2017528165.tif 000010
2017528165.tif 000011
2017528165.tif 000012
2017528165.tif 000013
2017528165.tif 000014